【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
画像を地図上に表示するように制御する画像制御装置であって、
前記画像の属性情報から位置情報を取得する取得手段と、
前記画像を地図上に表示するときの表示精度を指定する指定手段と、
前記取得手段により取得した位置情報と前記指定手段により指定された表示精度を用いて、地図と画像とを表示装置に表示する表示制御手段と、を備え、
前記表示制御手段は、前記指定手段により指定された表示精度が、予め決められた地図の精度よりも低い場合には、前記画像を前記位置情報に対応する地図上の位置に配置し、予め決められた地図の精度よりも高い場合には、前記画像を前記位置情報に対応する地図上の位置には配置しないよう前記表示装置を制御することを特徴とする画像制御装置。
【請求項２】
前記地図の精度は、地図の縮尺または行政区画であることを特徴とする請求項１に記載の画像制御装置。
【請求項３】
前記指定手段は、画像が複数ある場合、画像ごとに表示精度が指定できることを特徴とする請求項１または２に記載の画像制御装置。
【請求項４】
前記表示制御手段は、前記表示精度が前記地図の精度よりも高い場合には、画像を前記取得手段により取得した位置情報とは異なる地図上の位置に配置した表示データを作成することを特徴とする請求項１ないし３のいずれか１項に記載の画像制御装置。
【請求項５】
前記表示制御手段は、前記表示精度が前記地図の精度よりも高い場合には、画像を地図上ではなく、当該地図が表示された領域外に配置した表示データを作成することを特徴とする請求項４に記載の画像制御装置。
【請求項６】
前記表示制御手段は、前記表示精度が前記地図の精度と同じか低い場合には、前記画像を前記取得手段により取得した位置情報に対応する地図上の位置に表示すると共に、前記画像の中心が前記位置情報からずれた表示データを作成することを特徴とする請求項１ないし５のいずれか１項に記載の画像制御装置。
【請求項７】
前記取得手段により取得した位置情報から前記地図が表示される範囲に含まれる画像を判定する判定手段を更に備え、
前記表示制御手段は、前記表示精度が前記地図の精度よりも高い場合には、前記地図が表示される範囲に含まれる画像ごとに、前記位置情報に対応する地図上の位置からずらした位置に配置した表示データを作成することを特徴とする請求項１ないし３のいずれか１項に記載の画像制御装置。
【請求項８】
前記地図の精度を決定する決定手段を更に備えることを特徴とする請求項１ないし７のいずれか１項に記載の画像制御装置。
【請求項９】
前記画像は、撮像装置から受信した画像データであり、
前記位置情報は、前記画像の撮影場所の情報であることを特徴とする請求項１ないし８のいずれか１項に記載の画像制御装置。
【請求項１０】
前記画像データには、前記画像を前記位置情報に対応する地図上の位置に配置するか否かを示す情報が含まれることを特徴とする請求項９に記載の画像制御装置。
【請求項１１】
前記表示制御手段により作成された表示データを、表示手段を有する情報処理装置に配信する配信手段を更に備えることを特徴とする請求項１ないし１０のいずれか１項に記載の画像制御装置。
【請求項１２】
前記表示制御手段により作成された表示データを表示する表示手段を更に備えることを特徴とする請求項１ないし１０のいずれか１項に記載の画像制御装置。
【請求項１３】
前記画像制御装置は、地図データを提供する地図提供サーバに対して表示精度を指定して地図データを取得することを特徴とする請求項１に記載の画像制御装置。
【請求項１４】
画像を地図上に表示するように制御する画像制御方法であって、
取得手段が、前記画像の属性情報から位置情報を取得する取得工程と、
指定手段が、前記画像を地図上に表示するときの表示精度を指定する指定工程と、
表示制御手段が、前記取得工程により取得した位置情報と前記指定工程により指定された表示精度を用いて、地図と画像とを表示装置に表示する表示制御工程と、を備え、
前記表示制御工程では、前記指定工程にて指定された表示精度が、予め決められた地図の精度よりも低い場合には、前記画像を前記位置情報に対応する地図上の位置に配置し、予め決められた地図の精度よりも高い場合には、前記画像を前記位置情報に対応する地図上の位置には配置しないよう前記表示装置を制御することを特徴とする画像制御方法。
【請求項１５】
画像を地図上に配置した表示データを作成する情報処理装置であって、
画像の属性情報から位置情報を取得する取得手段と、
前記位置情報に対応する地図を表示するときの表示精度を指定する指定手段と、
前記取得手段により取得した位置情報と前記指定手段により指定された表示精度を用いて、地図と前記画像とを用いた表示データを作成する作成手段と、
前記作成手段が作成する表示データは、前記指定手段により指定された表示精度が、予め決められた地図の精度よりも低い場合には、前記画像を前記位置情報に対応する地図上の位置に配置し、予め決められた地図の精度よりも高い場合には、前記画像を前記位置情報に対応する地図上の位置には配置しないような表示データであることを特徴とする情報処理装置。
【請求項１６】
前記作成手段は、前記表示精度が前記地図の精度よりも高い場合には、画像を地図上ではなく、当該地図が表示された領域外に配置した表示データを作成することを特徴とする請求項１５に記載の情報処理装置。
【請求項１７】
クライアントと通信する通信手段を更に備え、
前記作成手段は、前記通信手段を介してクライアントから表示精度の指定を受け付け、作成した表示データをクライアントに送信することを特徴とする請求項１５または１６に記載の情報処理装置。
【請求項１８】
前記情報処理装置は、地図データを提供する地図提供サーバに対して表示精度を指定して地図データを取得し、
前記作成手段は、地図データと画像データとを合成して表示データを作成し、前記クライアントに送信することを特徴とする請求項１７に記載の情報処理装置。
【請求項１９】
画像を地図上に配置した表示データを作成する情報処理方法であって、
取得手段が、画像の属性情報から位置情報を取得する取得工程と、
指定手段が、前記位置情報に対応する地図を表示するときの表示精度を指定する指定工程と、
作成手段が、前記取得工程にて取得した位置情報と前記指定工程にて指定された表示精度を用いて、地図と前記画像とを用いた表示データを作成する作成工程と、を備え、
前記作成工程で作成される表示データは、前記指定工程にて指定された表示精度が、予め決められた地図の精度よりも低い場合には、前記画像を前記位置情報に対応する地図上の位置に配置し、予め決められた地図の精度よりも高い場合には、前記画像を前記位置情報に対応する地図上の位置には配置しないような表示データであることを特徴とする情報処理方法。
【請求項２０】
コンピュータを、請求項１ないし１３のいずれか１項に記載の画像制御装置の各手段として機能させるためのプログラム。
【請求項２１】
コンピュータを、請求項１ないし１３のいずれか１項に記載の画像制御装置の各手段として機能させるためのプログラムを記憶したコンピュータによる読み取りが可能な記憶媒体。
【請求項２２】
コンピュータを、請求項１５ないし１８のいずれか１項に記載の情報処理装置の各手段として機能させるためのプログラム。
【請求項２３】
コンピュータを、請求項１５ないし１８のいずれか１項に記載の情報処理装置の各手段として機能させるためのプログラムを記憶したコンピュータによる読み取りが可能な記憶媒体。
【手続補正２】
【補正対象書類名】明細書
【補正対象項目名】発明の名称
【補正方法】変更
【補正の内容】
【発明の名称】画像制御装置及び画像制御方法、情報処理装置及び情報処理方法、プログラム並びに記憶媒体
【手続補正３】
【補正対象書類名】明細書
【補正対象項目名】０００６
【補正方法】変更
【補正の内容】
【０００６】
上記課題を解決し、目的を達成するために、本発明の画像制御装置は、画像を地図上に表示するように制御する画像制御装置であって、前記画像の属性情報から位置情報を取得する取得手段と、前記画像を地図上に表示するときの表示精度を指定する指定手段と、前記取得手段により取得した位置情報と前記指定手段により指定された表示精度を用いて、地図と画像とを表示装置に表示する表示制御手段と、を備え、前記表示制御手段は、前記指定手段により指定された表示精度が、予め決められた地図の精度よりも低い場合には、前記画像を前記位置情報に対応する地図上の位置に配置し、予め決められた地図の精度よりも高い場合には、前記画像を前記位置情報に対応する地図上の位置には配置しないよう前記表示装置を制御する。